(57)【要約】【課題】リールの外周にフィルムを取り付け容易な遊技機を提供する。【解決手段】スロットマシン１０は、複数の図柄が描かれたフィルム１１と、フィルム１１を巻回して外周に取り付けるリール１２を備える。リール１２が回転して複数の図柄を変動表示するリールユニット１３を備える。フィルム１１は、一端側に設けられ所定距離、離間した一対の係止穴１４と、他端側に設けられ一対の係止穴１４と同じ距離で離間した一対の第１すり割り付き係止穴１５と、を有する。リール１２は、外周から遠心方向に隆起し基端部１６Ｂの外形に対して先端部１６Ａの外形が膨出する一対の第１突起１６を有する。一対の係止穴１４及び一対の第１すり割り付き係止穴１５が一対の第１突起１６に係合され、フィルム１１はリール１２の外周に密着するように取り付けられる。【選択図】図６
2008110039.tif 000002
【特許請求の範囲】
【請求項１】
複数の図柄が描かれた帯状のフィルムと、このフィルムを略一周巻回して外周に取り付ける複数の円環状のリールとを備え、これらのリールが回転することで複数の図柄を変動表示するリールユニットを備える遊技機であって、
前記フィルムは、一端側に設けられ前記図柄の枠外となるように所定距離、離間した一対の係止穴と、他端側に設けられ前記一対の係止穴と同じ距離で離間した一対の第１すり割り付き係止穴と、を有し、
前記リールは、外周から遠心方向に隆起し基端部の外形に対して先端部の外形が膨出する一対の第１突起を有し、
前記一対の係止穴及び前記一対の第１すり割り付き係止穴は、前記一対の第１突起に係合され、前記フィルムは、前記リールの外周に密着するように取り付けられるリールユニットを備えることを特徴とする遊技機。
【請求項２】
複数の図柄が描かれた帯状のフィルムと、このフィルムを略一周巻回して外周に取り付ける複数の円環状のリールとを備え、これらのリールが回転することで複数の図柄を変動表示するリールユニットを備える遊技機であって、
前記フィルムは、一端側に設けられ前記図柄の枠外となるように所定距離、離間した一対の係止穴と、他端側に設けられ前記一対の係止穴と同じ距離で離間した一対の第１すり割り付き係止穴と、を有し、
前記リールは、外周から遠心方向に隆起し基端部の外形に対して先端部の外形が膨出する一対の第１突起と、この一対の第１突起に近接し、外周から遠心方向に隆起し基端部の外形に対して先端部の外形が膨出する一対の第２突起と、を有し、
前記一対の係止穴は、前記一対の第１突起に係合され、前記一対の第１すり割り付き係止穴は、前記一対の第２突起に係合され、前記フィルムは、前記リールの外周に密着するように取り付けられるリールユニットを備えることを特徴とする遊技機。
【請求項３】
複数の図柄が描かれた帯状のフィルムと、このフィルムを略一周巻回して外周に取り付ける複数の円環状のリールとを備え、これらのリールが回転することで複数の図柄を変動表示するリールユニットを備える遊技機であって、
前記フィルムは、一端側に設けられ前記図柄の枠外となるように所定距離、離間した一対の第１すり割り付き係止穴と、他端側に設けられ前記一対の第１すり割り付き係止穴と同じ距離で離間した一対の第２すり割り付き係止穴と、を有し、
前記リールは、外周から遠心方向に隆起し基端部の外形に対して先端部の外形が膨出する一対の第１突起を有し、
前記一対の第１すり割り付き係止穴及び前記一対の第２すり割り付き係止穴は、前記一対の第１突起に係合され、前記フィルムは、前記リールの外周に密着するように取り付けられるリールユニットを備えることを特徴とする遊技機。
【請求項４】
複数の図柄が描かれた帯状のフィルムと、このフィルムを略一周巻回して外周に取り付ける複数の円環状のリールとを備え、これらのリールが回転することで複数の図柄を変動表示するリールユニットを備える遊技機であって、
前記フィルムは、一端側に設けられ前記図柄の枠外となるように所定距離、離間した一対の第１すり割り付き係止穴と、他端側に設けられ前記一対の第１すり割り付き係止穴と同じ距離で離間した一対の第２すり割り付き係止穴と、を有し、
前記リールは、外周から遠心方向に隆起し基端部の外形に対して先端部の外形が膨出する一対の第１突起と、この一対の第１突起に近接し、外周から遠心方向に隆起し基端部の外形に対して先端部の外形が膨出する一対の第２突起と、を有し、
前記一対の第１すり割り付き係止穴は、前記一対の第１突起に係合され、前記一対の第２すり割り付き係止穴は、前記一対の第２突起に係合され、前記フィルムは、前記リールの外周に密着するように取り付けられるリールユニットを備えることを特徴とする遊技機。
【発明の詳細な説明】
【技術分野】
【０００１】
本発明は、遊技機に関する。特に、複数の図柄が描かれた帯状のフィルムを機械的に回転駆動される円環状のリールの外周に取り付ける可変表示装置（以下、リールユニットという）を備える遊技機の構造に関する。
【背景技術】
【０００２】
例えば、遊技機の一種であるスロットマシンは、所定間隔で表示された複数種類の図柄列を有する帯状のフィルムを外周面に備える複数のリールを回転自在に横方向に並列配置している。そして、複数の図柄を可変表示するリールユニットをスロットマシンの本体の中央部に配置している。遊技者は、この本体の正面に設けられた表示窓を通して、各リールの図柄をそれぞれ観察できる。
【０００３】
一般に、複数種類の図柄列を有する帯状のフィルム（以下、図柄フィルムという）は、円環状のリールの外周に一周されて、貼り着けられている。そして、図柄フィルムの両端部の継ぎ目では、図柄フィルムの一方の端部が他方の端部に重複するように貼り着けられている。
【０００４】
このような遊技機は、図柄フィルムの両端部の継ぎ目が重複して、リールの外周側に突出してしまうため、リールの回転中において、図柄フィルムの継ぎ目が遊技者から推察しやすい構成であった。すなわち、図柄フィルムは視認しやすい継ぎ目であるため、いわゆる、目押しが容易であった。遊技者の中には、リールの回転中にこの継ぎ目を視認容易な遊技者と、リールの回転中にこの継ぎ目を視認困難な遊技者がいるため、このように継ぎ目を目安にした目押しが可能となることは、遊技の公平性を欠くことになる。
【０００５】
このような遊技機に対して、図柄フィルムの両端部の重なり合わされる継ぎ目を見えにくくすることで、全ての遊技者に公平な遊技機が発明されている（例えば、特許文献１参照）。
【０００６】
特許文献１による遊技機は、複数の図柄が描かれた帯状の図柄フィルムと、図柄フィルムが周囲に貼付された複数のリールとを有し、これらのリールが回転することで複数の図柄を変動表示するリールユニットを備えている。そして、リールは、図柄フィルムの貼付起点に図柄フィルムの厚み分だけ逃げる窪み部を有し、この窪み部の起立壁に対し、図柄フィルムの一端面が臨むようにして、図柄フィルムがリールの周囲に貼付されている。
【０００７】
特許文献１による遊技機は、図柄フィルムの両端部で重複する重複部がリールの外周側に突出することを極力抑えられるので、動体視力の優れた特定の遊技者などに図柄フィルムの継ぎ目を推察される可能性が低くなる、としている。そして、この継ぎ目を基準にして、いわゆる目押しが困難となるため、全ての遊技者に公平である、している。
【特許文献１】特開２００１−２９３１２７号公報
【発明の開示】
【発明が解決しようとする課題】
【０００８】
特許文献１による遊技機に用いられるリールユニットは、図柄フィルムは、円環状のリールの外周に一周されて、貼り着けられている。そして、図柄フィルムの両端部の継ぎ目では、図柄フィルムの一方の端部が他方の端部に重複するように貼り着けられている。
【０００９】
この図柄フィルムの貼着は、一般に両面接着テープが用いられる手作業である。図柄フィルムをリールの外枠からはみ出さないように、正しく貼着することは容易ではないという問題がある。又、一度貼着した図柄フィルムを剥がして、正しく貼着することは、時間と手間がかかるという問題がある。そして、これらの貼着作業がリールユニットの生産性や、図柄フィルムの交換容易性を妨げていた。
【００１０】
図柄フィルムを貼着することなく、図柄フィルムをリールに取り付けでき、更に、図柄フィルムの両端部を重ね合わせることができれば、生産性が向上し、便利である。そして、以上のことが、本発明の課題といってよい。
【００１１】
本発明は、このような問題に鑑みてなされたものであり、複数の図柄が描かれた帯状の図柄フィルムが周囲に取り付けられた複数のリールを有し、これらのリールが回転することで複数の図柄を変動表示するリールユニットを備える遊技機であって、図柄フィルムをリールの外周に取り付け容易なリールユニットを備える遊技機を提供することを目的とする。
【課題を解決するための手段】
【００１２】
本発明者は、上記目的を達成するため、リールの外周に隆起する一対の突起を設け、この一対の突起に係止可能なすり割り付き係合穴を図柄フィルムの少なくとも一端側に設けることにより、図柄フィルムをリールの外周に取り付け容易なことを見出し、これに基づいて、以下のような新たなリールユニットを備える遊技機を発明するに至った。
【００１３】
（１）  複数の図柄が描かれた帯状のフィルムと、このフィルムを略一周巻回して外周に取り付ける複数の円環状のリールとを備え、これらのリールが回転することで複数の図柄を変動表示するリールユニットを備える遊技機であって、前記フィルムは、一端側に設けられ前記図柄の枠外となるように所定距離、離間した一対の係止穴と、他端側に設けられ前記一対の係止穴と同じ距離で離間した一対の第１すり割り付き係止穴と、を有し、前記リールは、外周から遠心方向に隆起し基端部の外形に対して先端部の外形が膨出する一対の第１突起を有し、前記一対の係止穴及び前記一対の第１すり割り付き係止穴は、前記一対の第１突起に係合され、前記フィルムは、前記リールの外周に密着するように取り付けられるリールユニットを備えることを特徴とする遊技機。
【００１４】
（１）の発明による遊技機は、リールユニットを備えている。リールユニットは、帯状のフィルムと複数の円環状のリールを備えている。フィルムは、複数の図柄が描かれている。リールは、フィルムを略一周巻回して外周に取り付ける。リールユニットは、複数のリールが回転することで複数の図柄を変動表示する。
【００１５】
（１）の発明による遊技機は、フィルムが一対の係止穴と一対の第１すり割り付き係止穴を有している。又、リールは、一対の第１突起を有している。一対の係止穴は、フィルムの一端側に設けられ、図柄の枠外となるように所定距離、離間している。一対の第１すり割り付き係止穴は、フィルムの他端側に設けられ、一対の係止穴と同じ距離で離間している。一対の第１突起は、リールの外周から遠心方向に隆起し、基端部の外形に対して先端部の外形が膨出している。リールユニットは、一対の係止穴及び一対の第１すり割り付き係止穴が一対の第１突起に係合される。そして、フィルムは、リールの外周に密着するように取り付けられる。
【００１６】
ここで、フィルムは、合成樹脂からなることが好ましく、プラスチックフィルムが帯状に形成される。プラスチックフィルムの表面には、複数の図柄が印刷などで描かれる。フィルムは、円環状のリールの外周に巻回されるので、適度な弾性を有することが好ましい。又、フィルムは、その長手方向に張力が作用して、一対の第１突起に係合される一対の係止穴及び一対の第１すり割り付き係止穴が亀裂しないように、適度な強度を有することが好ましい。
【００１７】
リールは、合成樹脂からなることが好ましく、軽量の金属板であってもよく、リブ構造とすることにより軽量化できる。軽量のリールは、慣性モーメントが小さく、停止や起動などの回転制御が容易になる。例えば、プラスチックからなるリールの外周にフィルムを貼り付ける場合は接着力が弱く、リールの外周にフィルムを機械的に取り付けることが好ましい。
【００１８】
係止穴は丸穴が好ましく、第１突起が挿入される。第１すり割り付き係止穴における係止穴は、丸穴であってよく、この丸穴には、相反する向きに一対のすり割り（スリット）が形成される。フィルムの長手方向と略平行の向きに、すり割りが形成されることが好ましい。
【００１９】
リールの第１突起は、フィルムの係止穴及び第１すり割り付き係止穴の離間距離と略同等の離間距離を有してリールに形成される。第１突起は先端部が球状に膨出してよく、先端部が円錐状又は円錐台状に膨出してよく、フィルムの係止穴及び第１すり割り付き係止穴に容易に挿入できる。一対の第１突起は、リールと一体に成形してよく、別体の第１突起をリールに結合してもよい。
【００２０】
第１すり割り付き係止穴に第１突起を挿入すると、係止穴は、一対のすり割りで部分的に分割されているので拡径する。第１すり割り付き係止穴に第１突起を完全に挿入すると、係止穴は変形が復帰して縮径する。そして、第１すり割り付き係止穴が第１突起に係合する。第１突起の先端部を乗り越える強い力でフィルムを引っ張ると、係止穴が拡径してリールから離脱できる。このように、第１すり割り付き係止穴は第１突起に着脱容易である。
【００２１】
一対の係止穴と一対の第１すり割り付き係止穴との対向距離を、リールの外周長より僅かに短く設定することにより、フィルムが張力をもってリールの外周に密着できる。
【００２２】
このように、（１）の発明による遊技機は、リールの外周に隆起する一対の第１突起を設け、一対の第１突起に係合可能な一対の係止穴及び一対の第１すり割り付き係合穴をフィルムの両端側に設けることにより、フィルムを貼着することなく、フィルムをリールの外周に取り付け容易なリールユニットを提供できる。
【００２３】
（２）  複数の図柄が描かれた帯状のフィルムと、このフィルムを略一周巻回して外周に取り付ける複数の円環状のリールとを備え、これらのリールが回転することで複数の図柄を変動表示するリールユニットを備える遊技機であって、前記フィルムは、一端側に設けられ前記図柄の枠外となるように所定距離、離間した一対の係止穴と、他端側に設けられ前記一対の係止穴と同じ距離で離間した一対の第１すり割り付き係止穴と、を有し、前記リールは、外周から遠心方向に隆起し基端部の外形に対して先端部の外形が膨出する一対の第１突起と、この一対の第１突起に近接し、外周から遠心方向に隆起し基端部の外形に対して先端部の外形が膨出する一対の第２突起と、を有し、前記一対の係止穴は、前記一対の第１突起に係合され、前記一対の第１すり割り付き係止穴は、前記一対の第２突起に係合され、前記フィルムは、前記リールの外周に密着するように取り付けられるリールユニットを備えることを特徴とする遊技機。
【００２４】
（２）の発明による遊技機は、リールユニットを備えている。リールユニットは、帯状のフィルムと複数の円環状のリールを備えている。フィルムは、複数の図柄が描かれている。リールは、フィルムを略一周巻回して外周に取り付ける。リールユニットは、複数のリールが回転することで複数の図柄を変動表示する。
【００２５】
（２）の発明による遊技機は、フィルムが一対の係止穴と一対の第１すり割り付き係止穴を有している。又、リールは、一対の第１突起と一対の第２突起を有している。一対の係止穴は、フィルムの一端側に設けられ、図柄の枠外となるように所定距離、離間している。一対の第１すり割り付き係止穴は、フィルムの他端側に設けられ、一対の係止穴と同じ距離で離間している。一対の第１突起は、リールの外周から遠心方向に隆起し、基端部の外形に対して先端部の外形が膨出している。一対の第２突起は、一対の第１突起に近接し、リールの外周から遠心方向に隆起し基端部の外形に対して先端部の外形が膨出している。リールユニットは、一対の係止穴が一対の第１突起に係合される。又、リールユニットは、一対の第１すり割り付き係止穴が一対の第２突起に係合される。そして、フィルムは、リールの外周に密着するように取り付けられる。
【００２６】
（２）の発明による遊技機は、リールの外周に隆起する一対の第１突起及び一対の第２突起を設け、一対の第１突起に係合可能な一対の係止穴、及び一対の第２突起に係合可能な第１すり割り付き係合穴をフィルムの両端側に設けることにより、フィルムを貼着することなく、フィルムをリールの外周に取り付け容易なリールユニットを提供できる。
【００２７】
（３）  複数の図柄が描かれた帯状のフィルムと、このフィルムを略一周巻回して外周に取り付ける複数の円環状のリールとを備え、これらのリールが回転することで複数の図柄を変動表示するリールユニットを備える遊技機であって、前記フィルムは、一端側に設けられ前記図柄の枠外となるように所定距離、離間した一対の第１すり割り付き係止穴と、他端側に設けられ前記一対の第１すり割り付き係止穴と同じ距離で離間した一対の第２すり割り付き係止穴と、を有し、前記リールは、外周から遠心方向に隆起し基端部の外形に対して先端部の外形が膨出する一対の第１突起を有し、前記一対の第１すり割り付き係止穴及び前記一対の第２すり割り付き係止穴は、前記一対の第１突起に係合され、前記フィルムは、前記リールの外周に密着するように取り付けられるリールユニットを備えることを特徴とする遊技機。
【００２８】
（３）の発明による遊技機は、リールユニットを備えている。リールユニットは、帯状のフィルムと複数の円環状のリールを備えている。フィルムは、複数の図柄が描かれている。リールは、フィルムを略一周巻回して外周に取り付ける。リールユニットは、複数のリールが回転することで複数の図柄を変動表示する。
【００２９】
（３）の発明による遊技機は、フィルムが一対の第１すり割り付き係止穴と一対の第２すり割り付き係止穴を有している。又、リールは、一対の第１突起を有している。一対の第１すり割り付き係止穴は、フィルムの一端側に設けられ、図柄の枠外となるように所定距離、離間している。一対の第２すり割り付き係止穴は、フィルムの他端側に設けられ、一対の第１すり割り付き係止穴と同じ距離で離間している。一対の第１突起は、リールの外周から遠心方向に隆起し、基端部の外形に対して先端部の外形が膨出している。リールユニットは、一対の第１すり割り付き係止穴及び一対の第２すり割り付き係止穴が一対の第１突起に係合される。そして、フィルムは、リールの外周に密着するように取り付けられる。
【００３０】
（３）の発明による遊技機は、リールの外周に隆起する一対の第１突起を設け、一対の第１突起に係合可能な一対の第１すり割り付き係合穴及び一対の第２すり割り付き係合穴をフィルムの両端側に設けることにより、フィルムを貼着することなく、フィルムをリールの外周に取り付け容易なリールユニットを提供できる。
【００３１】
（４）  複数の図柄が描かれた帯状のフィルムと、このフィルムを略一周巻回して外周に取り付ける複数の円環状のリールとを備え、これらのリールが回転することで複数の図柄を変動表示するリールユニットを備える遊技機であって、前記フィルムは、一端側に設けられ前記図柄の枠外となるように所定距離、離間した一対の第１すり割り付き係止穴と、他端側に設けられ前記一対の第１すり割り付き係止穴と同じ距離で離間した一対の第２すり割り付き係止穴と、を有し、前記リールは、外周から遠心方向に隆起し基端部の外形に対して先端部の外形が膨出する一対の第１突起と、この一対の第１突起に近接し、外周から遠心方向に隆起し基端部の外形に対して先端部の外形が膨出する一対の第２突起と、を有し、前記一対の第１すり割り付き係止穴は、前記一対の第１突起に係合され、前記一対の第２すり割り付き係止穴は、前記一対の第２突起に係合され、前記フィルムは、前記リールの外周に密着するように取り付けられるリールユニットを備えることを特徴とする遊技機。
【００３２】
（４）の発明による遊技機は、リールユニットを備えている。リールユニットは、帯状のフィルムと複数の円環状のリールを備えている。フィルムは、複数の図柄が描かれている。リールは、フィルムを略一周巻回して外周に取り付ける。リールユニットは、複数のリールが回転することで複数の図柄を変動表示する。
【００３３】
（４）の発明による遊技機は、フィルムが一対の第１すり割り付き係止穴と一対の第２すり割り付き係止穴を有している。又、リールは、一対の第１突起と一対の第２突起を有している。一対の第１すり割り付き係止穴は、フィルムの一端側に設けられ、図柄の枠外となるように所定距離、離間している。一対の第２すり割り付き係止穴は、フィルムの他端側に設けられ、一対の第１すり割り付き係止穴と同じ距離で離間している。一対の第１突起は、リールの外周から遠心方向に隆起し、基端部の外形に対して先端部の外形が膨出している。一対の第２突起は、一対の第１突起に近接し、リールの外周から遠心方向に隆起し基端部の外形に対して先端部の外形が膨出している。リールユニットは、一対の係止穴が一対の第１すり割り付き係止穴に係合される。又、リールユニットは、一対の第２すり割り付き係止穴が一対の第２突起に係合される。そして、フィルムは、リールの外周に密着するように取り付けられる。
【００３４】
（４）の発明による遊技機は、リールの外周に隆起する一対の第１突起及び一対の第２突起を設け、一対の第１突起に係合可能な一対の第１すり割り付き係止穴、及び一対の第２突起に係合可能な第２すり割り付き係合穴をフィルムの両端側に設けることにより、リールの外周に隆起する一対の突起を設け、この一対の突起に係止可能なすり割り付き係合穴を図柄フィルムの少なくとも一端側に設けることにより、フィルムを貼着することなく、フィルムをリールの外周に取り付け容易なリールユニットを提供できる。
【発明の効果】
【００３５】
本発明による遊技機は、リールの外周に隆起する少なくとも一対の突起を設け、この一対の突起に係止可能なすり割り付き係合穴を図柄フィルムの少なくとも一端側に設けることにより、図柄フィルムを貼着することなく、図柄フィルムをリールの外周に取り付け容易なリールユニットを提供できる。
【発明を実施するための最良の形態】
【００３６】
以下、図面を参照して本発明を実施するための最良の形態を説明する。
【００３７】
図１は、本発明による遊技機の一実施形態を示す正面図である。図２は、前記実施形態による遊技機の内部を示す斜視外観図であり、前面扉を開けた状態図である。図３は、前記実施形態による遊技機に備わるリールユニットの斜視外観図である。図４は、前記実施形態によるリールの斜視外観図であり、リールの外周に隆起する一対の第１突起を設けている。図５は、前記実施形態によるリールの斜視外観図であり、リールの外周に隆起する一対の第１突起及び一対の第２突起を設けている。
【００３８】
図６は、第１実施例によるリールとフィルムとの関係を示す図であり、図６（Ａ）は、展開されたフィルムの正面図、図６（Ｂ）は、図４の右側面図である。図７は、第２実施例によるリールとフィルムとの関係を示す図であり、図７（Ａ）は、展開されたフィルムの正面図、図７（Ｂ）は、図５の右側面図である。
【００３９】
図８は、第３実施例によるリールとフィルムとの関係を示す図であり、図８（Ａ）は、展開されたフィルムの正面図、図８（Ｂ）は、図４の右側面図である。図９は、第４実施例によるリールとフィルムとの関係を示す図であり、図９（Ａ）は、展開されたフィルムの正面図、図９（Ｂ）は、図５の右側面図である。
【００４０】
最初に、本発明による遊技機の構成を説明する。以下、本発明による遊技機の一種であるスロットマシンの構成を説明する。図１及び図２において、本体３１は、スロットマシン１０の外周を覆っている。スロットマシン１０は、筐体３２と、筐体３２を開閉する前面扉３３と、を備えている。筐体３２の内部にリールユニット１３が配置されている。筐体３２の内部は、棚４３で上下に仕切られており、棚４３にリールユニット１３が載置されている。
【００４１】
図２において、棚４３の下方には、投入された遊技メダルを収納、又は遊技メダルを遊技メダル受け皿７５に払い出すホッパー４５や、還元率設定スイッチ４６Ａを含む電源ボックス４６が配置されている。棚４３の上方には、スロットマシン１０を制御するメイン基板（プリント基板）及びサブ基板（プリント基板）を含む制御盤４７などが配置されている。
【００４２】
図１又は図２において、前面扉３３に形成される正面パネル４２には、矩形状の表示窓４４が設けられている。表示窓４４は、横並び状の個別の表示窓４４Ｌ・４４Ｃ・４４Ｒに区画されている。リールユニット１３には、各々の外周面に複数種類の図柄が描かれた３個のリール１２Ｌ・１２Ｃ・１２Ｒが回転自在に設けられている。リール１２Ｌ・１２Ｃ・１２Ｒの各々は、表示窓４４を介して観察可能に配置されている。
【００４３】
図２又は図３において、リールユニット１３は略箱状のリールカバー２２を備えている。又、リールユニット１３の下部には、フランジ５４が設けられており、筐体３２内部の棚４３にねじなどの締結具によりフランジ５４が固定されている。
【００４４】
図１において、正面パネル４２の上方には、クレジット枚数、ＢＥＴ枚数、メダルの排出状況などを表示する遊技状態表示部７０が設けられている。正面パネル４２の下方には、遊技の名称などを表示した下部パネル７２が設けられている。又、表示窓４４の下方には、略水平の台座部６０が設けられており、その上面右側には、遊技者が遊技媒体である遊技メダル（以下、メダルという）を入れるための投入口６１が設けられている。ここで、遊技メダルは、コイン、メダル、又はトークンと称される代用貨幣である。
【００４５】
図１において、台座部６０の上面左側には、押しボタン操作による三つのＢＥＴスイッチ６２・６３・６４が配置されている。ＢＥＴスイッチ６２は、１回の遊技に１枚のメダルを賭けられる。ＢＥＴスイッチ６３は、１回の遊技に２枚のメダルを賭けられる。ＢＥＴスイッチ６４は、１回の遊技に３枚のメダルを賭けられる。台座部６０の前面の左側には、スタートレバー６５が傾動可能に設けられている。スタートレバー６５を遊技者が傾動操作することにより、三つのリール１２Ｌ・１２Ｃ・１２Ｒの回転が一斉に開始される。三つのリール１２Ｌ・１２Ｃ・１２Ｒが回転したときには、リール１２Ｌ・１２Ｃ・１２Ｒの各々の外周面に描かれている複数の図柄が、表示窓４４において変動表示される。
【００４６】
図１において、台座部６０の前面の中央には、３個のリール停止ボタン６６Ｌ・６６Ｃ・６６Ｒが設けられている。リール停止ボタン６６Ｌはリール１２Ｌに対応し、リール停止ボタン６６Ｃはリール１２Ｃに対応し、リール停止ボタン６６Ｒはリール１２Ｒに対応している。リール停止ボタン６６Ｌを遊技者が押動操作したときには、リール１２Ｌが停止し、リール停止ボタン６６Ｃを遊技者が押動操作したときには、リール１２Ｃが停止し、リール停止ボタン６６Ｒを遊技者が押動操作したときには、リール１２Ｒが停止する。
【００４７】
図１において、スタートレバー６５の左側には、払出しボタン６７が設けられている。遊技者が払出しボタン６７を押動操作したときには、投入されているメダルが正面下部の遊技払出口７４から払い出され、払い出されたメダルは遊技メダル受け皿７５に貯められる。
【００４８】
図１において、表示窓４４には、実線で示す横に３本（中央及び上下）及び斜めに２本の入賞ラインが設けられている。ゲーム開始に先立って、遊技者が投入口６１から１枚のメダルを投入したときは中央の入賞ラインだけが有効化され、２枚のメダルを投入したとき、これに上下の入賞ラインが加わり、３枚のメダルを投入したとき、全ての入賞ラインが有効化される。このような入賞ラインの有効化は、各入賞ラインの両端に配置された有効化ライン表示ランプ（図示せず）が点灯することにより、遊技者に表示される。
【００４９】
次に、本発明による遊技機に備わるリールユニットの構成を説明する。図３において、リールユニット１３は、三つのリール１２Ｌ・１２Ｃ・１２Ｒと、リールケース２１と、略箱状のリールカバー２２と、を備えている。リール１２Ｌ・１２Ｃ・１２Ｒは、各外周面に複数種類の図柄を表示している。リールケース２１は、三つのリール１２Ｌ・１２Ｃ・１２Ｒを軸方向に並列配置している。リールカバー２２はリールケース２１に着脱する。三つのリール１２Ｌ・１２Ｃ・１２Ｒはその一部が、リールケース２１内に支持、収納などにより配置されている。
【００５０】
図３において、リールケース２１は、三つのリール１２Ｌ・１２Ｃ・１２Ｒの一方の円弧面が突出するように開口された略箱状に形成されている。又、リールケース２１は、三つのリール１２Ｌ・１２Ｃ・１２Ｒの他方の円弧面を包囲している。
【００５１】
図３において、リールカバー２２は、合成樹脂で成形されており、一端側は三つのリール１２Ｌ・１２Ｃ・１２Ｒの円弧面を覆うように半月形の円柱状に形成され、他端側はリールケース２１の外壁に嵌合すべく、箱状に形成される。又、リールカバー２２は、包囲壁２２Ａを前面部分に備えており、包囲壁２２Ａは、隣接するリール１２Ｌ・１２Ｃ・１２Ｒの間隙を覆っている。
【００５２】
図４において、リールケース２１内には、各リール１２Ｌ・１２Ｃ・１２Ｒを回転駆動するモータ２７が配置され、モータ２７を支持するアングル部材２８が配置されている。図３において、三つのアングル部材２８は、リールケース２１の内部構造を構成している。又、三つのアングル部材２８は、リールケース２１にねじなどの締結具で固定されている。リールユニット１３は、リールとモータ２７とアングル部材２８とが一体となって、リールケース２１から取り外し可能な構造となっている（図３参照）。リールケース２１は、三つのリール１２Ｌ・１２Ｃ・１２Ｒを軸方向に並列配置しており、各リール１２Ｌ・１２Ｃ・１２Ｒの回転軸が同軸上に配置されている。各リール１２Ｌ・１２Ｃ・１２Ｒは独立して回転駆動できる。
【００５３】
次に、本発明による遊技機に備わるリールの構成を説明する。本発明において、各リール１２Ｌ・１２Ｃ・１２Ｒは、後述する一対の突起を除き、構造的に同一であるので、以下、各リール１２Ｌ・１２Ｃ・１２Ｒをリール１２として説明する。
【００５４】
図４において、リール１２は、円環状の枠体２３を備えている。枠体２３の外周にはフィルム１１が一周巻回される。枠体２３は、モータ２７の回転軸を中心として遠心方向に延びる複数のスポーク２３Ａを備えている。又、複数のリブ２３Ｄで連結された円形の一対のハブ２３Ｂ・２３Ｃを備え、一方のハブ２３Ｂがスポーク２３Ａに連結されている。枠体２３は、合成樹脂又は軽量金属によって成形されており、軽量となっている。この軽量なリールは、慣性モーメントが小さく、起動、停止などの回転制御が容易となる。
【００５５】
図４又は図５において、フィルム１１は、合成樹脂によって一定の厚さを有した帯状に形成されている。フィルム１１には、複数の図柄が印刷などにより長さ方向に沿って描かれている。フィルム１１は、リール１２に巻回されている。
【００５６】
次に、本発明による第１実施例の構成を説明する。図６において、フィルム１１は、長手方向の一端側１１Ａに一対の係止穴１４・１４が形成され、他端側１１Ｂに一対の第１すり割り付き係止穴１５・１５が形成されている。一対の係止穴１４・１４は、フィルム１１における図柄の枠外となるように所定距離、離間した左右の位置に形成されており、図柄とは重ならない。一対の係止穴１４・１４は、リール１２の両翼に突出した一対の第１突起１６・１６に挿入される（図４参照）。係止穴１４を丸穴とすることにより、第１突起１６に容易に挿入できる。
【００５７】
図６において、一対の第１すり割り付き係止穴１５・１５は、一対の第１突起１６・１６に挿入される（図４参照）。一対の第１すり割り付き係止穴１５・１５は、一対の係止穴１４と同じ距離で離間して、フィルム１１の他端側１１Ｂに形成される。したがって、一対の第１すり割り付き係止穴１５・１５も図柄とは重ならない。
【００５８】
図６において、第１すり割り付き係止穴１５は、係止穴１５Ａと、係止穴１５Ａの両側のスリット（すり割り）１５Ｂと、を有している。係止穴１５Ａは、係止穴１４よりも小径の丸穴となっている。スリット１５Ｂは、係止穴１５Ａの両側に相反する向きに形成されている。又、すり割り付き係止穴１５は、フィルム１１の長手方向と略平行の向きとなるようにスリット１５Ｂが形成される。スリット１５Ｂを係止穴１５Ａの両側に形成することにより、係止穴１５Ａが第１突起１６より小径でも、第１突起１６にすり割り付き係止穴１５を容易に挿入できる。
【００５９】
図４又は図６において、フィルム１１は、係止穴１４と第１すり割り付き係止穴１５との距離がリール１２の外周長より僅かに短く設定することが好ましい。このように設定することにより、フィルム１１が張力をもってリール１２の外周に密着できる。又、フィルム１１は、適度な弾性を有することが好ましい。フィルム１１が弾性を有することにより、リール１２の外周に密着させて巻回できる。更に、フィルム１１は、第１突起１６に第１すり割り付き係止穴１５を挿入しても、亀裂が発生しないような適度な強度を有することが好ましい。
【００６０】
図４及び図６において、各リール１２には、一対の第１突起１６が一体形成されている。一対の第１突起１６の離間距離は、フィルム１１における一対の係止穴１４及び一対の第１すり割り付き係止穴１５の離間距離と同じとなるように設定されている。
【００６１】
図４又は図６において、第１突起１６は、リール１２における適宜位置のリブ２３Ｄから遠心方向に隆起している。第１突起１６は先端部１６Ａが球状となっており、先端部１６Ａの外形が基端部１６Ｂの外形よりも外側に膨出する形状となっている。先端部１６Ａを膨出させた形状とすることにより、係止穴１４及びすり割り付き係止穴１５が第１突起１６から外れることがなく、第１突起１６が係止穴１４及びすり割り付き係止穴１５と良好に係合する。
【００６２】
次に、本発明による第１実施例の作用を説明する。図４又は図６において、一対の第１突起１６・１６に一対の係止穴１４・１４を挿入して、フィルム１１の一端側１１Ａをリール１２に係合させる。次に、フィルム１１をリール１２の外周に巻き付け、一対の第１突起１６・１６に一対の第１すり割り付き係止穴１５・１５を挿入して、フィルム１１の他端側１１Ｂをリール１２に係合させる。
【００６３】
図６において、第１すり割り付き係止穴１５を第１突起１６に挿入すると、一対のスリット１５Ｂ・１５Ｂが開いて係止穴１５Ａが拡径する。第１突起１６に第１すり割り付き係止穴１５を完全に挿入すると、係止穴１５Ａが縮径する。第１突起１６を第１すり割り付き係止穴１５に係合させることにより、フィルム１１がリール１２の外周に密着する。したがって、フィルム１１の貼り付けが必要なく、フィルム１１をリール１２の外周に巻回できる。一方、第１突起１６の先端部１６Ａを乗り越えるような力で、フィルム１１をリール１２から離れる方向に引っ張ることにより、第１すり割り付き係止穴１５が第１突起１６から離脱する。したがって、フィルム１１を容易にリール１２から離脱できる。
【００６４】
本発明の第１実施例による遊技機では、リール１２に形成された一対の第１突起１６・１６と、フィルム１１に形成された一対の係止穴１４・１４及び一対の第１すり割り付き係止穴１５・１５との係合により、フィルム１１を貼着することなくリール１２に巻回でき、フィルム１１をリール１２の外周に取り付け容易なリールユニットを提供できる。
【００６５】
次に、本発明による第２実施例の構成を説明する。図７において、第２実施例では、フィルム１１は、第１実施例と同様の構造となっている。すなわち、フィルム１１には、長手方向の一端側１１Ａに一対の係止穴１４・１４を設け、他端側１１Ｂに一対の第１すり割り付き係止穴１５・１５を設けている。一対の係止穴１４・１４は、図柄の枠外となるように所定距離、離隔しており、一対の第１すり割り付き係止穴１５・１５は、一対の係止穴１４と同じ距離で離間している。
【００６６】
図５及び図７において、リール１２には、一対の第１突起１６・１６及び一対の第２突起１７・１７が設けられる。一対の第１突起１６・１６及び一対の第２突起１７・１７は、リール１２の外周から遠心方向に隆起して設けられている。又、第１突起１６及び第２突起１７は、先端部１６Ａ・１７Ａが球状となっており、先端部１６Ａ・１７Ａの外形が基端部１６Ｂ・１７Ｂの外形よりも外側に膨出する形状となっている。
【００６７】
図５及び図７において、一対の第２突起１７・１７は、一対の第１突起１６・１６に近接した位置に設けられる。すなわち、第１突起１６と第２突起１７とは、リール１２にフィルム１１を巻き付けたときに、フィルム１１の両端部が相互に突き合わせられように近接して配置されている。なお、フィルム１１の一端側１１Ａにフィルム１１の他端側１１Ｂが重なるように、フィルム１１をリール１２に巻き付けてもよい。
【００６８】
次に、本発明による第２実施例の作用を説明する。図５又は図７において、一対の第１突起１６・１６に一対の係止穴１４・１４を挿入して、フィルム１１の一端側１１Ａをリール１２に係合させる。次に、フィルム１１をリール１２の外周に巻き付け、一対の第２突起１７・１７に一対の第１すり割り付き係止穴１５・１５を挿入して、フィルム１１の他端側１１Ｂをリール１２に係合させる。
【００６９】
図７において、第１すり割り付き係止穴１５を第２突起１７に挿入すると、一対のスリット１５Ｂ・１５Ｂが開いて係止穴１５Ａが拡径する。第２突起１７に第１すり割り付き係止穴１５を完全に挿入すると、係止穴１５Ａが縮径する。第２突起１７を第１すり割り付き係止穴１５に係合させることにより、フィルム１１がリール１２の外周に密着する。したがって、フィルム１１の貼り付けが必要なく、フィルム１１をリール１２の外周に巻回できる。一方、第２突起１７の先端部１７Ａを乗り越えるような力で、フィルム１１をリール１２から離れる方向に引っ張ることにより、第１すり割り付き係止穴１５が第２突起１７から離脱する。したがって、フィルム１１を容易にリール１２から離脱できる。
【００７０】
本発明の第２実施例による遊技機では、リール１２に形成された一対の第１突起１６・１６及び一対の第２突起１７・１７と、フィルム１１に形成された一対の係止穴１４・１４及び一対の第１すり割り付き係止穴１５・１５との係合により、フィルム１１を貼着することなくリール１２に巻回でき、フィルム１１をリール１２の外周に取り付け容易なリールユニットを提供できる。
【００７１】
次に、本発明による第３実施例の構成を説明する。図８において、リール１２は第１実施例と同様の構造となっている。すなわち、リール１２は、外周から遠心方向に隆起した一対の第１突起１６・１６を備えている。第１突起１６は、先端部１６Ａが球状となっており、先端部１６Ａの外形は、基端部１６Ｂの外形よりも外側に膨出している（図４参照）。
【００７２】
図８において、フィルム１１は、長手方向の一端側１１Ａに一対の第１すり割り付き係止穴１５・１５が設けられ、他端側１１Ｂに一対の第２すり割り付き係止穴１８・１８が設けられている。一対の第１すり割り付き係止穴１５・１５は、フィルム１１の図柄の枠外となるように離間されており、一対の第２すり割り付き係止穴１８・１８は、第１すり割り付き係止穴１５と同じ距離で離間している。
【００７３】
図８において、第２すり割り付き係止穴１８は、丸穴からなる係止穴１８Ａと、係止穴１８Ａの両側に一対のスリット１８Ｂ・１８Ｂと、を有している。一対のスリット１８Ｂ・１８Ｂは、係止穴１８Ａの両側に相反する向きに形成される。一対のスリット１８Ｂ・１８Ｂは、フィルム１１の長手方向と略平行の向きとなっている。一対のスリット１８Ｂ・１８Ｂをフィルム１１の他端側１１Ｂに設けることにより、一対の第１突起１６・１６を一対の第２すり割り付き係止穴１８・１８に挿入できる。
【００７４】
次に、本発明による第３実施例の作用を説明する。図４又は図８において、一対の第１突起１６・１６に一対の第１すり割り付き係止穴１５・１５を挿入して、フィルム１１の一端側１１Ａをリール１２に係合させる。次に、フィルム１１をリール１２の外周に巻き付け、一対の第１突起１６・１６に一対の第２すり割り付き係止穴１８・１８を挿入して、フィルム１１の他端側１１Ｂをリール１２に係合させる。
【００７５】
図８において、第１すり割り付き係止穴１５を第１突起１６に挿入すると、一対のスリット１５Ｂ・１５Ｂが開いて係止穴１５Ａが拡径する。第１突起１６に第１すり割り付き係止穴１５を完全に挿入すると、係止穴１５Ａが縮径する。
【００７６】
同様に、図８において、第２すり割り付き係止穴１８を第１突起１６に挿入すると、一対のスリット１８Ｂ・１８Ｂが開いて係止穴１８Ａが拡径する。第１突起１６に第２すり割り付き係止穴１８を完全に挿入すると、係止穴１８Ａが縮径する。
【００７７】
図８において、第１突起１６に第１すり割り付き係止穴１５及び第２すり割り付き係止穴１８を係合させることにより、フィルム１１がリール１２の外周に密着する。したがって、フィルム１１の貼り付けが必要なく、フィルム１１をリール１２の外周に巻回できる。一方、第１突起１６の先端部１６Ａを乗り越えるような力で、フィルム１１をリール１２から離れる方向に引っ張ることにより、第１すり割り付き係止穴１５及び第２すり割り付き係止穴１８が第１突起１６から離脱する。したがって、フィルム１１を容易にリール１２から離脱できる。
【００７８】
本発明の第３実施例による遊技機では、リール１２に形成された一対の第１突起１６・１６と、フィルム１１に形成された一対の第１すり割り付き係止穴１５・１５及び一対の第２すり割り付き係止穴１８・１８との係合により、フィルム１１を貼着することなくリール１２に巻回でき、フィルム１１をリール１２の外周に取り付け容易なリールユニットを提供できる。
【００７９】
次に、本発明による第４実施例の構成を説明する。図９において、第４実施例では、フィルム１１は、第３実施例と同様の構造となっている。すなわち、フィルム１１には、長手方向の一端側１１Ａに一対の第１すり割り付き係止穴１５・１５を設け、他端側１１Ｂに一対の第２すり割り付き係止穴１８・１８を設けている。一対の第１すり割り付き係止穴１５・１５は、図柄の枠外となるように所定距離、離隔しており、一対の第２すり割り付き係止穴１８・１８は、一対の第１すり割り付き係止穴１５・１５と同じ距離で離間している（図５参照）。
【００８０】
図５又は図９において、第４実施例では、リール１２は第２実施例と同様の構造となっている。すなわち、リール１２には、一対の第１突起１６・１６及び一対の第２突起１７・１７が設けられる。一対の第１突起１６・１６及び一対の第２突起１７・１７は、リール１２の外周から遠心方向に隆起して設けられる。又、第１突起１６及び第２突起１７は、先端部１６Ａ・１７Ａが球状となっており、先端部１６Ａ・１７Ａの外形が基端部１６Ｂ・１７Ｂの外形よりも外側に膨出する形状となっている。
【００８１】
図５及び図９において、一対の第２突起１７・１７は、一対の第１突起１６・１６に近接した位置に設けられる。すなわち、第１突起１６と第２突起１７とは、リール１２にフィルム１１を巻き付けたときに、フィルム１１の両端部が相互に突き合わせられように近接して配置されている。なお、フィルム１１の一端側１１Ａにフィルム１１の他端側１１Ｂが重なるように、フィルム１１をリール１２に巻き付けてもよい。
【００８２】
次に、本発明による第４実施例の作用を説明する。図５又は図９において、一対の第１突起１６・１６に一対の第１すり割り付き係止穴１５・１５を挿入して、フィルム１１の一端側１１Ａをリール１２に係合させる。次に、フィルム１１をリール１２の外周に巻き付け、一対の第２突起１７・１７に一対の第２すり割り付き係止穴１８・１８を挿入して、フィルム１１の他端側１１Ｂをリール１２に係合させる。なお、第２突起１７に第２すり割り付き係止穴１８を挿入し、その後に、第１すり割り付き係止穴１５を第１突起１６に第１すり割り付き係止穴１５を挿入する手順でもよい。
【００８３】
図９において、第１すり割り付き係止穴１５を第１突起１６に挿入すると、一対のスリット１５Ｂ・１５Ｂが開いて係止穴１５Ａが拡径する。第１突起１６に第１すり割り付き係止穴１５を完全に挿入すると、係止穴１５Ａが縮径する。同様に、第２すり割り付き係止穴１８を第２突起１７に挿入すると、一対のスリット１８Ｂ・１８Ｂが開いて係止穴１８Ａが拡径する。第２突起１７に第２すり割り付き係止穴１８を完全に挿入すると、係止穴１８Ａが縮径する。
【００８４】
第１突起１６及び第２突起１７を第１すり割り付き係止穴１５及び第２すり割り付き係止穴１８に係合させることにより、フィルム１１がリール１２の外周に密着する。したがって、フィルム１１の貼り付けが必要なく、フィルム１１をリール１２の外周に巻回できる。一方、第１突起１６及び第２突起１７の先端部１６Ａ・１７Ａを乗り越えるような力で、フィルム１１をリール１２から離れる方向に引っ張ることにより、第１すり割り付き係止穴１５及び第２すり割り付き係止穴１８が第１突起１６及び第２突起１７から離脱する。したがって、フィルム１１を容易にリール１２から離脱できる。
【００８５】
本発明の第４実施例による遊技機では、リール１２に形成された一対の第１突起１６・１６及び一対の第２突起１７・１７と、フィルム１１に形成された一対の第１すり割り付き係止穴１５・１５及び一対の第２すり割り付き係止穴１８・１８との係合により、フィルム１１を貼着することなくリール１２に巻回でき、フィルム１１をリール１２の外周に取り付け容易なリールユニットを提供できる。
【図面の簡単な説明】
【００８６】
【図１】本発明による遊技機の一実施形態を示す正面図である。
【図２】前記実施形態による遊技機の内部を示す斜視外観図であり、前面扉を開けた状態図である。
【図３】前記実施形態による遊技機に備わるリールユニットの斜視外観図である。
【図４】前記実施形態によるリールの斜視外観図であり、リールの外周に隆起する一対の第１突起を設けている。
【図５】前記実施形態によるリールの斜視外観図であり、リールの外周に隆起する一対の第１突起及び一対の第２突起を設けている。
【図６】第１実施例によるリールとフィルムとの関係を示す図であり、図６（Ａ）は、展開されたフィルムの正面図、図６（Ｂ）は、図４の右側面図である。
【図７】第２実施例によるリールとフィルムとの関係を示す図であり、図７（Ａ）は、展開されたフィルムの正面図、図７（Ｂ）は、図５の右側面図である。
【図８】第３実施例によるリールとフィルムとの関係を示す図であり、図８（Ａ）は、展開されたフィルムの正面図、図８（Ｂ）は、図４の右側面図である。
【図９】第４実施例によるリールとフィルムとの関係を示す図であり、図９（Ａ）は、展開されたフィルムの正面図、図９（Ｂ）は、図５の右側面図である。
【符号の説明】
【００８７】
１０  遊技機（スロットマシン）
１１  フィルム
１２・１２Ｌ・１２Ｃ・１２Ｒ  リール
１３  リールユニット
１４  係止穴
１５  第１すり割り付き係止穴
１６  第１突起
１７  第２突起
１８  第２すり割り付き係止穴
【図１】
2008110039.tif 000003
【図２】
2008110039.tif 000004
【図３】
2008110039.tif 000005
【図４】
2008110039.tif 000006
【図５】
2008110039.tif 000007
【図６】
2008110039.tif 000008
【図７】
2008110039.tif 000009
【図８】
2008110039.tif 000010
【図９】
2008110039.tif 000011